(57)【要約】【課題】簡易な作業で使用を再開できるポリタンク用ノズルを提供する。【解決手段】ポリタンク９９の注ぎ口９７に取り付けられるポリタンク用ノズルとしてのノズル１は、使用状態と収納状態とに遷移可能なノズル本体２と、ノズル本体２を注ぎ口９７に取り付ける取付部３と、収納状態にあるノズル本体２を覆うと共に、注ぎ口を塞ぐカバー部としての収納リング４及び蓋部５とを有するようにした。これにより、ノズル１は、市販されているポリタンク９９に対して取り付けることができると共に、収納機構を有することにより、ノズル本体２を取り外すことなく使用状態と収納状態とを遷移させることができる。【選択図】  図８
2016022964.tif 000002
【特許請求の範囲】
【請求項１】
ポリタンクの注ぎ口に取り付けられるポリタンク用ノズルであって、
使用状態と収納状態とに遷移可能なノズル本体部と、
前記ノズル本体を前記注ぎ口に取り付ける取付部と、
前記収納状態にあるノズル本体を覆うと共に、前記注ぎ口を塞ぐカバー部と
を有することを特徴とするポリタンク用ノズル。
【請求項２】
前記ノズル本体部は、
先端に前記カバー部と連結し、取り外し可能なカバー連結部を有する
ことを特徴とする請求項１に記載のポリタンク用ノズル。
【請求項３】
前記ノズル本体部は、
前記収納状態において、先端が前記注ぎ口よりも外側に突出している
ことを特徴とする請求項１に記載のポリタンク用ノズル。
【請求項４】
前記カバー部は、
前記注ぎ口から外側に突出する円筒部と、
前記円筒部の先端に取り付けられる蓋部と
を有することを特徴とする請求項２に記載のポリタンク用ノズル。
【請求項５】
前記ノズル本体部は、
前記収納状態において、先端が前記注ぎ口よりも内側に位置する
ことを特徴とする請求項１に記載のポリタンク用ノズル。
【請求項６】
前記カバー部は、
前記取付部に対して取り付けられる
ことを特徴とする請求項５に記載のポリタンク用ノズル。
【請求項７】
前記ノズル本体部は、
径の相違する複数の円筒部を有しており、
前記使用状態において、前記複数の円筒部は、端部において他の円筒部と互いに連結し、
前記収納状態において、前記複数の円筒部は、径の大きい円筒部の内側に径の小さい円筒部が入れ子のように収まる
ことを特徴とする請求項２に記載のポリタンク用ノズル。
【請求項８】
前記ノズル本体部は、
前記ポリタンクの内部に収納される内収納部を有する
ことを特徴とする請求項１に記載のポリタンク用ノズル。
【請求項９】
前記ノズル本体部は、
前記蛇腹構造により、
前記使用状態において伸長し、
前記収納状態において折り畳まれる
ことを特徴とする請求項１に記載のポリタンク用ノズル。
【発明の詳細な説明】
【技術分野】
【０００１】
本発明は、例えば水やガソリンなどを入れて貯蔵するポリタンクの注ぎ口に取り付けるポリタンク用ノズルに関するものである。
【背景技術】
【０００２】
従来、水やガソリンなどの液体を入れて運搬したり、保存するために、プラスチック製のタンク、いわゆるポリタンクが広く使用されている。
【０００３】
図１に示すように、このポリタンク９９は、通常、液体を貯蔵するポリタンク本体９６と、傾けて設けられた注ぎ口９７と、水平に設けられた水平口９８とを有している。
【０００４】
図２に示すように、この注ぎ口９７に取り付けることにより、内容物を別の容器などに注ぎ易くする、いわゆるポリタンク用ノズル９５が知られている。
【先行技術文献】
【特許文献】
【０００５】
【特許文献１】特開２０１３−１２８８８２号公報
【発明の概要】
【発明が解決しようとする課題】
【０００６】
かかる構成のポリタンク用ノズル９５は、図３に示すように、使用していないときには、上下を逆さにし、先端が奥に入るように収納されるのが一般的である。
【０００７】
しかしながら、再度ポリタンク用ノズル９５をポリタンク９９に設置する際には、ポリタンク用ノズル９５を一旦ポリタンク９９から取り出し、逆さにした上で、設置作業を行わなければならず、設置作業が繁雑であるという問題があった。
【０００８】
本発明はこのような問題を解決するためになされたもので、その目的は、簡易な作業で使用を再開できるポリタンク用ノズルを提供するものである。
【課題を解決するための手段】
【０００９】
かかる課題を解決するため、本発明のポリタンク用ノズルは、ポリタンクの注ぎ口に取り付けられるポリタンク用ノズルであって、使用状態と収納状態とに遷移可能なノズル本体部と、ノズル本体を注ぎ口に取り付ける取付部と、収納状態にあるノズル本体を覆うと共に、注ぎ口を塞ぐカバー部とを有するようにした。
【００１０】
これにより、ポリタンク用ノズルでは、ノズル本体を収納状態したときにカバー部で覆うことができるため、ノズル本体を取り外すことなく、収納状態から使用状態に遷移することができる。
【発明の効果】
【００１１】
本発明は、ポリタンク用ノズルでは、ノズル本体を収納状態したときにカバー部で覆うことができるため、ノズル本体を取り外すことなく、使用状態から収納状態に遷移することができ、かくして簡易な作業で使用を再開できるポリタンク用ノズルを提供できる。
【図面の簡単な説明】
【００１２】
【図１】ポリタンクの全体構成を示す略線図である。
【図２】従来のポリタンクのノズル（１）の構成を示す略線図である。
【図３】従来のポリタンクのノズル（２）の構成を示す略線図である。
【図４】第１の実施の形態のノズル（１）の構成を示す略線図である。
【図５】第１の実施の形態のノズル（２）の構成を示す略線図である。
【図６】第１の実施の形態のノズル（３）の構成を示す略線図である。
【図７】第１の実施の形態のノズル本体の構成を示す略線図である。
【図８】第１の実施の形態のノズル（４）の構成を示す略線図である。
【図９】第２の実施の形態のノズル（１）の構成を示す略線図である。
【図１０】第２の実施の形態のノズル本体の構成を示す略線図である。
【図１１】第２の実施の形態のノズル（２）の構成を示す略線図である。
【図１２】他の実施の形態のノズル（１）の構成を示す略線図である。
【図１３】他の実施の形態のノズル（２）の構成を示す略線図である。
【図１４】他の実施の形態のノズル（３）の構成を示す略線図である。
【発明を実施するための形態】
【００１３】
次に本発明を実施するための形態について図面を参照して説明する。
【００１４】
＜１．第１の実施の形態＞
図４において１は、本発明のノズルを示している。ノズル１は、市販されているポリタンク９９に取り付けられて使用される。図５に示すように、ノズル１は、収納可能に形成されている。
【００１５】
図６に示すように、ノズル１は、ノズル本体２と、取付部３と、収納リング４と、蓋部５とを有しており、好ましくはポリエチレンやポリプロピレン、ポリエステルテレフタレートなどの樹脂材料で形成されている。
【００１６】
図７に示すように、ノズル本体２は、全体的に先細りの円筒形状を有しており、一体的に形成されている。ノズル本体２は、ノズルの先端部分からノズル先端部２ａ、折り畳み部２ｂ、可とう部２ｃ、ねじ切り部２ｄ、シール部２ｅを有している。
【００１７】
ノズル先端部２ａは、ポリタンク本体９６中の液体を排出する注ぎ口を有している。
【００１８】
折り畳み部２ｂは、使用時には伸長され、収納時には短縮されるよう、伸縮可能に形成されている。伸縮構造に特に制限はなく、例えば曲がるストローのような折り畳み機構を用いることができる。
【００１９】
可とう部２ｃは、可とう性を有しており、ねじ切り部２ｄの内側に入り込むことが可能である。ねじ切り部２ｄには、雄ネジが形成されている。
【００２０】
シール部２ｅは、ねじ切り部２ｄより一回り大きく、ねじ切り部２ｄの下端から外側に広がるように形成されており、パッキンと同様の役割を果たす。
【００２１】
取付部３（図６）は、ノズル本体２をポリタンク本体９６の注ぎ口９７に固定するリング状の部材である。取付部３の開口部分はねじ切り部２ｄより大きく、かつシール部２ｅより小さく形成されており、シール部２ｅを挟んでノズル本体２を固定する。
【００２２】
収納リング４は、内側に形成された雌ねじ（図示せず）により、ノズル本体２のねじ切り部２ｄに固定される。可とう部２ｃの上端には、引っ掛け突起（図示せず）が形成されており、収納リング４の内側上端付近に形成された引っ掛け受部に引っかけることにより、可とう部２ｃを支持する。
【００２３】
使用時において、ノズル１（図４）は、折り畳み部２ｂ及びノズル先端部２ａが収納リング４から出た状態となる。
【００２４】
ノズル先端部２ａの先端付近には、円筒から外側に向けて突出する係合突部（図示せず）が形成されている。
【００２５】
ノズル本体２の使用後には、ユーザは蓋部５の内側に形成された係合受部（図示せず）とノズル先端部２ａの係合突部とを係合する。これにより、ユーザは、蓋部５を動かすことにより、ノズル先端部２ａを動かすことができる。
【００２６】
ユーザが蓋部５を掴んだままノズル本体２の根本側に押すと、折り畳み部２ｂが折り畳まれて縮む。さらにユーザが蓋部５を移動させることにより、可とう部２ｃと収納リング４との係合を外すことができる。
【００２７】
ユーザが蓋部５をそのままノズル本体２の根本側に移動させることにより、可とう部２ｃがポリタンク本体９６の内部に入り込む。ノズル先端部２ａが収納リング４の内部に完全に収納されると、ノズル本体２は収納状態に遷移する。そしてユーザはそのまま蓋部５を押し込む。蓋部５の内側及び収納リング４の外側には、係合機構が設けられており、蓋部５が押し込まれると、収納リング４に蓋部５が固定される。
【００２８】
ユーザが再度ノズル１を使用したい場合、ユーザは蓋部５と収納リング４との係合機構を解除して蓋部５を引っ張り上げる。このとき、蓋部５とノズル先端部２ａは係合したままの状態であるため、蓋部５を引っ張り上げることにより、ノズル本体２を使用状態に遷移し、使用時の位置に戻すことができる。
【００２９】
ユーザは、可とう部２ｃの引っ掛け突起を収納リング内側の引っ掛け受部に引っ掛けて、その位置を固定させる。そしてユーザは、蓋部５とノズル先端部２ａとの係合を解除することにより、ノズル１を図４の使用状態にすることができる。
【００３０】
これにより、ノズル１は、ユーザに蓋部５を掴ませた状態で使用状態から収納状態へ、収納状態から使用状態へと遷移させることができるため、使用時及び収納時の作業を簡易にすることができる。
【００３１】
以上の構成において、ポリタンク９９の注ぎ口９７に取り付けられるポリタンク用ノズルとしてのノズル１は、使用状態と収納状態とに遷移可能なノズル本体２と、ノズル本体２を注ぎ口９７に取り付ける取付部３と、収納状態にあるノズル本体２を覆うと共に、注ぎ口を塞ぐカバー部としての収納リング４及び蓋部５とを有するようにした。
【００３２】
これにより、ノズル１は、市販されているポリタンク９９に対して取り付けることができると共に、収納機構を有することにより、ノズル本体２を取り外すことなく使用状態と収納状態とを遷移させることができる。
【００３３】
このため、使用後にポリタンク用ノズル９５を一旦取り外して反対方向にした上でポリタンク９９内に収納する従来のポリタンク用ノズル９５と比較して、ユーザの使い勝手を著しく向上させることができる。
【００３４】
ノズル本体２は、先端に蓋部５と連結し、取り外し可能なカバー連結部として、ノズル先端部２ａに係合突部及び蓋部５の内側に係合受部がそれぞれ設けられる。
【００３５】
これにより、ユーザに蓋部５を掴ませて当該蓋部５を移動させることにより、ノズル本体２を使用状態及び収納状態に遷移させることができ、ユーザにノズル本体２を触れさせずに済む。
【００３６】
ノズル本体２は、収納状態において、先端が注ぎ口９７よりも外側に突出している。
【００３７】
これにより、使用状態におけるノズル本体２の先端から、収納状態におけるノズル本体２の先端までの距離を小さくすることができ、収納機構の選択肢を広げることができる。
【００３８】
ノズル本体２における折り畳み部２ｂは、蛇腹構造により、使用状態において伸長し、収納状態において折り畳まれることにより、ノズル本体２を自由に伸長・収縮させるだけでなく、ノズル本体２を自由な角度に調整することができる。
【００３９】
以上の構成によれば、本発明のノズル１は、ノズル本体２に収納機構を設けると共に、収納リング４及び蓋部５によって収納状態のノズル本体２を覆うようにした。これにより、ノズル１は、ノズル本体２を取り外すことなく使用状態から収納状態に遷移することができ、ユーザの使い勝手を向上させ得る。
【００４０】
＜２．第２の実施の形態＞
図９〜１１に示す第２の実施の形態においては、図４〜図８に示す第１の実施の形態と対応する箇所に２０を加算した符号を附して示し、同一部分についての説明を省略する。第２の実施の形態では、ノズル本体２２の構造が第１の実施の形態と異なっている。
【００４１】
図９及び図１０に示すように、ノズル２１は、径の相違する円筒形状のノズル本体２２として、ノズルリング２２ａ〜２２ｅが連なって構成されており、一番外側のノズルリング２２ｅが収納リングを兼ねている。
【００４２】
各ノズルリング２２ａ〜２２ｅは、先端に行くに従って径が小さくなる入れ子状になっており、隣接するノズルリング２２ａ〜２２ｅ間で係合してその位置が固定される。
【００４３】
また第１の実施の形態と同様、ノズル本体２２の先端部分には係合突起（図示せず）が形成されており、蓋２５を取り付けた状態で収納状態にセットしたり、使用状態にセットしたりすることが可能である。
【００４４】
すなわち、使用後においてユーザは、ノズル２１の先端に蓋２５を取り付けて根本方向へ押し込む。そしてノズルリング２２ａがノズルリング２２ｅまで到達すると、後はノズルリング２２ｅの上部に設けられた雄ネジに対し、蓋２５の内側に形成された雌ねじを螺合させるだけで、図１１に示すように、ノズル２１を収納状態に遷移させることができる。
【００４５】
また、ノズル２１を使用するとき、ユーザは、蓋２５をノズルリング２２ｅから外し、隣接するノズルリング２２ａ〜２２ｅ間が係合するまで先端方向へ向けて引っ張るだけで、ノズル２１を使用状態に遷移させることができる。
【００４６】
以上の構成によれば、第２の実施の形態におけるノズル２１は、径の相違する複数の円筒部としてのノズルリング２２ａ〜２２ｅを有している。使用状態において、ノズルリング２２ａ〜２２ｅは、端部において他の円筒部と互いに連結する。また、収納状態において、ノズルリング２２ａ〜２２ｅは、径の大きいノズルリング２２の内側に径の小さいノズルリング２２が入れ子のように収まる。
【００４７】
これにより、ノズル２１は、最も径の大きいノズルリング２２ｅの内部に他のノズルリング２２ａ〜２２ｄを収納することができる。
【００４８】
＜３．他の実施の形態＞
なお上述の実施の形態において、カバー部は、注ぎ口９７から外側に突出する円筒部としての収納リング４と、収納リング４の先端に取り付けられる蓋部５であるようにした場合について述べたが、本発明はこれに限らず、例えば収納リング４と蓋部５とを一体化したような形状であっても良い。
【００４９】
また、ノズル本体２の全てをポリタンク９９の内部に収納することも可能であり、その場合、カバー部は、蓋部５のみで構成されても良い。
【００５０】
さらに上述の第１の実施の形態においては、収納機構として折り畳み部２ｂ及び可とう部２ｃを有するようにした場合について述べたが、本発明はこれに限らず、収納機構に特に制限はない。例えば図１２に示すように、収納機構として可とう部２ｃのみであっても良い。また、図示しないが、折り畳み部２ｂのみであっても良い。
【００５１】
また上述の実施の形態においては、収納状態においてノズル本体２の先端が取付部３の先端よりも突出するようにした場合について述べた。本発明はこれに限らず、例えば図１３に示すように、ノズル本体５２の先端が取付部３から突出することなく、ノズル本体５２の全てが取付部３及びポリタンク９９の内部に収納されるようにしても良い。図１３では、各ノズルリングの先端方向に円周方向外側へ突出部を設けることにより、収納状態においてノズルリングがポリタンク９９の内部へ落ちることを防止できる。
【００５２】
また、図１４に示すように、収納状態において取付部６３に対してカバー部６５を取り付け、カバー部６５の内部にノズル本体６２が収納されても良い。さらに図示しないが、コック及び弁を用いた開閉機構を設けることも可能である。
【００５３】
さらに上述の実施の形態においては、ノズル先端部２ａに形成された係合突部と蓋部５に係合受部によって蓋部５とノズル先端部２ａとを連結させるようにした場合について述べたが、本発明はこれに限らず、必ずしも必須ではない。また、ノズル先端部２ａと蓋部５との連結機構の構成に特に制限はなく、既知の構成を適宜使用することができる。
【００５４】
さらに上述の実施の形態においては、ノズル本体部としてのノズル本体２と、取付部としての取付部３と、カバー部としての収納リング４及び蓋部５とによってポリタンク用ノズルとしてのノズル１を構成するようにした場合について述べたが、本発明はこれに限らず、その他種々の構成のノズル本体部と、取付部と、カバー部とによって本発明のポリタンク用ノズルを構成しても良い。
【産業上の利用可能性】
【００５５】
本発明は、例えば液体燃料や水、薬剤、薬品などを運搬・保存するポリタンクに用いられるポリタンク用ノズルに適用することができる。
【符号の説明】
【００５６】
１、２１、４１、５１、６１・・・・・・ノズル
２、２２、４２、５２、６２・・・・・・ノズル本体
２ａ・・・・・・ノズル先端
２ｂ・・・・・・折り畳み部
２ｃ・・・・・・可とう部
２ｄ・・・・・・ねじ切り部
２ｅ・・・・・・シール部
３、２３・・・・・・取付部
４・・・・・・収納リング
５、２５、４５、５５、６５・・・・・・蓋
２２ａ〜２２ｅ・・・・・・ノズルリング
９７・・・・・・注ぎ口
９９・・・・・・ポリタンク
【図１】
2016022964.tif 000003
【図２】
2016022964.tif 000004
【図３】
2016022964.tif 000005
【図４】
2016022964.tif 000006
【図５】
2016022964.tif 000007
【図６】
2016022964.tif 000008
【図７】
2016022964.tif 000009
【図８】
2016022964.tif 000010
【図９】
2016022964.tif 000011
【図１０】
2016022964.tif 000012
【図１１】
2016022964.tif 000013
【図１２】
2016022964.tif 000014
【図１３】
2016022964.tif 000015
【図１４】
2016022964.tif 000016